(57)【要約】【課題】吸収性物品を容易に展開する。【解決手段】吸収性物品１の本体部は、吸収体である吸収コア２２、吸収コア２２の着用者側の主面を覆うトップシート２１、および、吸収コア２２のもう一方の主面を覆うバックシート２３を備える。吸収性物品１では、使用前の状態において、第１部位２５と第２部位２６とが、第１部位２５の長手方向の長さが第２部位２６の長手方向の長さよりも長くなるように、トップシート２１を内側にして互いに対向しつつ折り畳まれている。吸収性物品１が使用される際には、使用者（例えば、着用者本人や介護者）が片手で突出部２５１を掴んで吸収性物品１を持ち上げたり、突出部２５１を掴んだまま第２部位２６に手を掛けることにより、吸収性物品１を容易に展開することができる。【選択図】図３
2006218056.tif 000002
【特許請求の範囲】
【請求項１】
着用者からの排泄物を受ける吸収性物品であって、
吸収体と、
前記吸収体の着用者側の主面を覆うトップシートと、
前記吸収体のもう一方の主面を覆うバックシートと、
を備え、
使用前の状態において、長手方向における所定位置の一方側の第１部位と他方側の第２部位とが前記所定位置にて前記トップシートを内側にして互いに対向しつつ２つ折りにされており、前記第１部位の前記長手方向の長さが前記第２部位の前記長手方向の長さよりも長いことを特徴とする吸収性物品。
【請求項２】
請求項１に記載の吸収性物品であって、
前記第１部位と前記第２部位との前記長手方向の長さの差が１ｃｍ以上８ｃｍ以下であることを特徴とする吸収性物品。
【請求項３】
請求項２に記載の吸収性物品であって、
前記第１部位と前記第２部位との前記長手方向の長さの差が１．５ｃｍ以上５ｃｍ以下であることを特徴とする吸収性物品。
【請求項４】
請求項１ないし３のいずれかに記載の吸収性物品であって、
前記長手方向の少なくとも一方のエッジ近傍まで前記吸収体が存在することを特徴とする吸収性物品。
【請求項５】
請求項４に記載の吸収性物品であって、
前記バックシートが、前記少なくとも一方のエッジにおいて前記トップシート側に折り返されて前記トップシートに固定されることを特徴とする吸収性物品。
【請求項６】
請求項５に記載の吸収性物品であって、
前記長手方向における前記第１部位側のエッジにて前記バックシートが折り返され、
使用前の状態において、前記第１部位の前記吸収体の前記トップシート側の主面が、前記バックシートの前記エッジにて折り返された部位および前記第２部位により覆われていることを特徴とする吸収性物品。
【請求項７】
請求項４または５に記載の吸収性物品であって、
前記少なくとも一方のエッジが、前記長手方向における前記第１部位側のエッジを含むことを特徴とする吸収性物品。
【請求項８】
請求項１ないし３のいずれかに記載の吸収性物品であって、
使用前の状態において、前記第１部位の前記吸収体の前記トップシート側の主面が、前記第２部位により覆われていることを特徴とする吸収性物品。
【発明の詳細な説明】
【技術分野】
【０００１】
本発明は、着用者からの排泄物を受ける吸収性物品に関する。
【背景技術】
【０００２】
使い捨ておむつでは、少量の排尿時であってもおむつ全体を交換する必要があるため、使用者にとって経済的な負担が大きくなってしまう。そこで、従来より、使い捨ておむつの内側に安価な補助吸収具（いわゆる、尿取りパッド等）を取り付けて着用し、少量の排尿時には補助吸収具のみを交換することが行われている。
【０００３】
このような補助吸収具は通常、未使用時には折り畳まれており、例えば、幅方向の両側を内側に向けて折り曲げられ、さらに長手方向の両側を内側に向けて折り曲げられて３つ折りにされた状態で包装用袋内に複数配列されて収容されている。また、特許文献１では、長手方向に関して２つ折りまたは４つ折りとされた状態で包装用袋内に収容される失禁用吸収パッドが開示されている。特許文献２でも、縦方向（長手方向）に関して２つ折りまたは３つ折りとされた状態でパッケージされる吸収性物品（補助吸収具）が開示されている。
【特許文献１】特開２００３−１５９２６８号公報
【特許文献２】特開２０００−２２５１３８号公報
【発明の開示】
【発明が解決しようとする課題】
【０００４】
ところで、長手方向に関して３つ折りや４つ折りとされた状態の補助吸収具は、使用時にこれを展開するための工程が多く、また、片手で展開することが困難である。さらに、補助吸収具は包装用袋内に圧縮包装されているため、３つ折りや４つ折りにした折り目にて折り癖がついてしまい、使い捨ておむつの着用時に着用者の腹側や背側の比較的平坦な部位に対向する折り目近傍において、着用者の肌との間に隙間が生じて尿等が漏出してしまう可能性がある。
【０００５】
特許文献１および２に開示される２つ折りの補助吸収具では、３つ折り等の場合に比べて展開すべき部位が少なくなり、展開に要する工程は簡素化されるが、長手方向の両端部が互いに重ね合わされた状態で（すなわち、折り目の両側の部位の長さが等しくなるように）折り畳まれているため、片手でこれを展開することは依然困難である。また、包装用袋内において、互いに重なり合っている長手方向の両端部が重なった状態のまま共に折れ曲がってしまい、これにより補助吸収具を展開することがさらに難しくなる可能性もある。
【０００６】
２つ折りの補助吸収具をパンツタイプの使い捨ておむつに取り付ける際には通常、補助吸収具の折り目が使い捨ておむつの股部（すなわち、着用者の鼠径部に対向する部位）に位置するように取り付けられる。しかしながら、通常の２つ折りの補助吸収具では、折り目から両側に伸びる部位の長さが等しくされるため、腹側および背側のいずれか一方が長くなるように取り付けて排泄傾向の偏り（例えば、排泄箇所の偏りや使い捨ておむつ内において尿が流れる方向の偏り）に対応することが困難である。このため、折り目の両側の部位のうち、排泄傾向が偏っている側の部位（例えば、座位や仰臥位における背側の部位）がずれる等して短くなってしまった場合、補助吸収具から尿等が漏出してしまう可能性がある。
【０００７】
本発明は、上記課題に鑑みなされたものであり、吸収性物品を容易に展開することを主たる目的としている。
【課題を解決するための手段】
【０００８】
請求項１に記載の発明は、着用者からの排泄物を受ける吸収性物品であって、吸収体と、前記吸収体の着用者側の主面を覆うトップシートと、前記吸収体のもう一方の主面を覆うバックシートとを備え、使用前の状態において、長手方向における所定位置の一方側の第１部位と他方側の第２部位とが前記所定位置にて前記トップシートを内側にして互いに対向しつつ２つ折りにされており、前記第１部位の前記長手方向の長さが前記第２部位の前記長手方向の長さよりも長い。
【０００９】
請求項２に記載の発明は、請求項１に記載の吸収性物品であって、前記第１部位と前記第２部位との前記長手方向の長さの差が１ｃｍ以上８ｃｍ以下である。
【００１０】
請求項３に記載の発明は、請求項２に記載の吸収性物品であって、前記第１部位と前記第２部位との前記長手方向の長さの差が１．５ｃｍ以上５ｃｍ以下である。
【００１１】
請求項４に記載の発明は、請求項１ないし３のいずれかに記載の吸収性物品であって、前記長手方向の少なくとも一方のエッジ近傍まで前記吸収体が存在する。
【００１２】
請求項５に記載の発明は、請求項４に記載の吸収性物品であって、前記バックシートが、前記少なくとも一方のエッジにおいて前記トップシート側に折り返されて前記トップシートに固定される。
【００１３】
請求項６に記載の発明は、請求項５に記載の吸収性物品であって、前記長手方向における前記第１部位側のエッジにて前記バックシートが折り返され、使用前の状態において、前記第１部位の前記吸収体の前記トップシート側の主面が、前記バックシートの前記エッジにて折り返された部位および前記第２部位により覆われている。
【００１４】
請求項７に記載の発明は、請求項４または５に記載の吸収性物品であって、前記少なくとも一方のエッジが、前記長手方向における前記第１部位側のエッジを含む。
【００１５】
請求項８に記載の発明は、請求項１ないし３のいずれかに記載の吸収性物品であって、使用前の状態において、前記第１部位の前記吸収体の前記トップシート側の主面が、前記第２部位により覆われている。
【発明の効果】
【００１６】
本発明では、吸収性物品を容易に展開することができる。請求項４の発明では、吸収性物品の長手方向の端部が折れ曲がることを抑制することができる。
【００１７】
請求項５の発明では、吸収体に吸収された液体が、吸収性物品の長手方向の端部からしみ出すことを防止することができる。請求項６および８の発明では、吸収体が使用前に汚損することを防止することができる。請求項７の発明では、包装袋内における第１部位の折れ曲がりをより確実に抑制することができる。
【発明を実施するための最良の形態】
【００１８】
図１は、本発明の第１の実施の形態に係る吸収性物品１の構成を示す平面図である。吸収性物品１は、パンツタイプの使い捨ておむつの内側（すなわち、着用者側）に取り付けられて着用者からの排泄物を受ける尿取りパッド等の補助吸収具である。
【００１９】
図１に示すように、吸収性物品１は、略シート状の本体部２、および、本体部２の長手方向（すなわち、図１中のＹ方向）のほぼ全長に亘って本体部２の幅方向（すなわち、Ｘ方向）の両側に設けられた一対の側壁部３を備える。図１では、本体部２の（＋Ｚ）側の主面が、着用者に接する面となる。
【００２０】
図２は、吸収性物品１を図１中に示すＡ−Ａの位置でＹ方向に垂直な面で切断した断面図である。図１および図２に示すように、一対の側壁部３のそれぞれには、長手方向に伸びる２本の弾性部材３１が接合されており、図１に示すように吸収性物品１を広げた状態では、弾性部材３１は伸張状態となっている。吸収性物品１では、弾性部材３１が収縮することにより、本体部２の側方において側壁部３が着用者側に向かって立ち上がり、着用時に着用者の足の付け根近傍に当接する立体ギャザー（いわゆる、レッグギャザー）が形成される。
【００２１】
側壁部３は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収性物品１の快適性向上の観点からは、側壁部３が通気性を有することが好ましい。弾性部材３１としては、ポリウレタン糸、ポリウレタンフィルム、天然ゴム等が用いられる。
【００２２】
図１および図２に示すように、本体部２は、吸収体である吸収コア２２、吸収コア２２の着用者側（すなわち、（＋Ｚ）側）の主面を覆うトップシート２１、および、吸収コア２２のもう一方の主面を覆うバックシート２３を備え、吸収コア２２の側方には側壁部３が接合される。トップシート２１およびバックシート２３は、ホットメルト接着剤等により吸収コア２２の周囲にて互いに接合される。
【００２３】
図１および図２に示すように、バックシート２３は、吸収コア２２の長手方向の両側の端部近傍において、着用者側とは反対側の主面上に、幅方向に広がって存在する止着部２３１を備える。止着部２３１は、微小なフック部材を多数有する面ファスナであり、吸収性物品１が使い捨ておむつに取り付けられる際に使い捨ておむつの着用者側と対向し、使い捨ておむつの着用者側の不織布や布地中の繊維群に着脱可能に接合される。なお、止着部２３１は、ホットメルト接着剤等の粘着剤であってもよく、この場合、使い捨ておむつ等に取り付けられる前の吸収性物品１では、止着部２３１を覆うように剥離テープが設けられる。
【００２４】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２５】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２６】
バックシート２３は撥水性または不透液性の不織布であり、トップシート２１を透過した水分、および、吸収コア２２に一旦吸収された水分が、本体部２の着用者側とは反対側や幅方向の両側にしみ出すのを防止する。バックシート２３として利用される不織布は、例えば、スパンボンド不織布やメルトブロー不織布、ＳＭＳ不織布であり、必要に応じて撥水処理が施されてもよい。なお、撥水性または不透液性のプラスチックフィルムや、上記不織布とプラスチックフィルムとの複合材料等がバックシート２３として利用されてもよい。この場合、着用者の快適性の観点からは、通気性を有するプラスチックフィルムが利用されることが好ましい。
【００２７】
図３は、吸収性物品１の使用前の状態を示す側面図である。図３に示すように、吸収性物品１は、使用前の状態において、長手方向における所定位置（以下、「折り曲げ位置」という。）２４にて２つ折りにされた状態で、包装用袋内に複数配列されて収容される。以下、図３中における折り曲げ位置２４の右側および左側の部位をそれぞれ、「第１部位２５」および「第２部位２６」という。なお、図３では、第１部位２５と第２部位２６との間の距離を実際より大きく描いている（図４および図５についても同様）。
【００２８】
図３に示すように、吸収性物品１では、第１部位２５と第２部位２６とが、第１部位２５の長手方向の長さが第２部位２６の長手方向の長さよりも長くなるように、トップシート２１を内側にして側壁部３を間に挟んで互いに対向しつつ折り畳まれており、バックシート２３および止着部２３１は外側を向いている。第１部位２５と第２部位２６との長手方向の長さの差は、第１部位２５の端部を指で挟むことができるという点で１ｃｍ以上とされることが好ましく、不必要に差を設けないという点からは８ｃｍ以下とされることが好ましい。また、指で容易に挟むことができるという点からは両部位の差は、１．５ｃｍ以上５ｃｍ以下とされることが好ましく、本実施の形態では約１．５ｃｍとされる。
【００２９】
２つ折りにされた状態、すなわち、使用前の状態における吸収性物品１では、長手方向において、第２部位２６のトップシート２１およびバックシート２３のエッジが、第１部位２５の吸収コア２２のエッジとほぼ重なっている。あるいは、第２部位２６のトップシート２１およびバックシート２３のエッジは、第１部位２５の吸収コア２２のエッジとトップシート２１およびバックシート２３のエッジとの間に位置する。これにより、吸収性物品１では、第１部位２５の吸収コア２２のトップシート２１側の主面が、第２部位２６により覆われ、また、第２部位２６の吸収コア２２のトップシート２１側の主面が、第１部位２５により覆われる。以下、第１部位２５の第２部位２６と重なり合っていない部位、すなわち、第２部位２６よりも突出している部位を、「突出部２５１」という。
【００３０】
以上に説明したように、吸収性物品１では、使用前の状態において、第１部位２５が第２部位２６よりも長くなるように折り曲げ位置２４にて２つ折りにされており、第１部位２５の突出部２５１が第２部位２６よりも突出しているため、吸収性物品１を使用する際に、使用者（例えば、着用者本人や介護者）が片手で突出部２５１を掴んで吸収性物品１を持ち上げたり、突出部２５１を掴んだまま第２部位２６に手を掛けることにより、吸収性物品１を容易に展開することができる。その結果、吸収性物品１を使い捨ておむつの内側に容易に、かつ、速やかに取り付けることができる。
【００３１】
また、２つ折りにされた状態における吸収性物品１では、第１部位２５および第２部位２６の吸収コア２２のトップシート２１側の主面がそれぞれ、第２部位２６および第１部位２５により覆われるため、着用時にトップシート２１を介して着用者の肌に接する吸収コア２２、および、トップシート２１の着用者と吸収コア２２との間に挟まれる部位が、使用前に汚損することを防止することができる。
【００３２】
さらには、吸収性物品１をパンツタイプの使い捨ておむつに取り付ける際に、使い捨ておむつ内において尿等が流れやすい側（例えば、座位や仰臥位における背側や男性が着用する場合の腹側）に第１部位２５を配置し、折り曲げ位置２４を使い捨ておむつの股部に重ねて取り付けることにより、折り曲げ位置の両側の部位の長さが等しくなるように２つ折りにされた吸収性物品に比べて、尿等が流れやすい側における吸収力を相対的に向上することができ、吸収性物品１からの尿等の漏出をより確実に防止することができる。
【００３３】
図４は、吸収性物品１において、他の好ましい折り曲げ位置２４ａにて２つ折りにされた例（すなわち、使用前の状態）を示す側面図である。図４に示す例でも、第１部位２５と第２部位２６とがトップシート２１を内側にして互いに対向しつつ折り曲げ位置２４ａにて２つ折りにされており、第１部位２５の長手方向の長さは第２部位２６の長手方向の長さよりも長くされる。
【００３４】
図４に示す例では、吸収性物品１の長手方向において、第２部位２６のトップシート２１およびバックシート２３のエッジが、第１部位２５の吸収コア２２のエッジよりも折り曲げ位置２４ａ側に位置する。さらに、突出部２５１の長手方向の長さが、第１部位２５のエッジ（すなわち、トップシート２１およびバックシート２３のエッジ）と吸収コア２２のエッジとの間の距離の２倍以上とされる。
【００３５】
図４に示す例では、吸収性物品１が上述のような状態で２つ折りにされて包装用袋内に収容される。したがって、突出部２５１の吸収コア２２が存在しない部位、すなわち、突出部２５１における吸収コア２２のエッジとトップシート２１およびバックシート２３のエッジとの間の部位が、第２部位２６側に折れ曲がってしまった場合であっても、突出部２５１が第２部位２６に重なることが防止される。このため、使用者が片手で突出部２５１を掴んで吸収性物品１を持ち上げる等することにより、吸収性物品１を容易に展開することができる。吸収性物品１を片手で掴んで容易に展開するという観点から、第１部位２５と第２部位２６との長手方向の長さの差は、１ｃｍ以上８ｃｍ以下（より好ましくは、１．５ｃｍ以上５ｃｍ以下）とされることが好ましい。
【００３６】
図５は、本発明の第２の実施の形態に係る吸収性物品１ａの使用前の状態を示す側面図である。吸収性物品１ａは、図３に示す吸収性物品１とほぼ同様の構造を有しており、各構成には以下の説明において同符号を付す。吸収性物品１ａも、第１の実施の形態に係る吸収性物品１と同様に、パンツタイプの使い捨ておむつの内側（すなわち、着用者側）に取り付けられて着用者からの排泄物を受ける尿取りパッド等の補助吸収具である。なお、図５では、図３に示す側壁部３および止着部２３１の図示を省略している。
【００３７】
図５に示すように、吸収性物品１ａは、第１の実施の形態と同様に、吸収体である吸収コア２２、吸収コア２２の着用者側の主面を覆うトップシート２１、および、吸収コア２２のもう一方の主面を覆うバックシート２３を備える。トップシート２１、吸収コア２２およびバックシート２３、並びに、側壁部および止着部（図示省略）の材料は、第１の実施の形態と同様である。
【００３８】
吸収性物品１ａは、第１の実施の形態と同様に、使用前の状態において、第１部位２５と第２部位２６とをトップシート２１を内側にして互いに対向させつつ折り曲げ位置２４にて２つ折りにされた状態で、包装用袋内に複数配列されて収容されている。第１部位２５の長手方向の長さは、第２部位２６の長手方向の長さよりも約１．５ｃｍだけ長くされる。
【００３９】
図５に示すように、吸収性物品１ａの長手方向の両側の端部では、バックシート２３が吸収コア２２の長手方向のエッジにおいて吸収コア２２のトップシート２１側に折り返され（すなわち、巻き上げられ）、バックシート２３の折り返された部位（以下、「折り返し部」という。）２３２は、吸収コア２２上においてホットメルト接着剤による接着によりトップシート２１に固定される。換言すれば、吸収性物品１ａでは、第１部位２５および第２部位２６の長手方向のエッジまで吸収コア２２が存在している。なお、折り返し部２３２のトップシート２１への固定は、超音波接合やヒートシール等により行われてもよい。また、折り返し部２３２は、幅方向の両側においてトップシート２１に固定されていればよく、幅方向の中央部においてはトップシート２１に接合されていなくてもよい。
【００４０】
２つ折りにされた状態、すなわち、使用前の状態における吸収性物品１ａでは、長手方向において、第２部位２６のエッジが、第１部位２５のバックシート２３の折り返し部２３２のエッジ（すなわち、第１部位２５におけるトップシート２１とバックシート２３の折り返し部２３２との境界）とほぼ重なっている。あるいは、第２部位２６のエッジは、第１部位２５の折り返し部２３２のエッジと第１部位２５のエッジとの間に位置する。これにより、吸収性物品１ａでは、第１部位２５の吸収コア２２のトップシート２１側の主面が、第１部位２５におけるバックシート２３の折り返し部２３２、および、第２部位２６により覆われ、また、第２部位２６の吸収コア２２のトップシート２１側の主面が、第１部位２５により覆われる。
【００４１】
以上に説明したように、吸収性物品１ａでは、第１の実施の形態と同様に、使用前の状態において第１部位２５が第２部位２６よりも長くなるように２つ折りにされているため、吸収性物品１ａを使用する際に、第１部位２５のうち第２部位２６よりも突出する突出部２５１を使用者が片手で掴んで吸収性物品１ａを持ち上げたり、突出部２５１を掴んだまま第２部位２６に手を掛けることにより、吸収性物品１ａを容易に展開することができる。その結果、吸収性物品１ａを使い捨ておむつの内側に容易に、かつ、速やかに取り付けることができる。吸収性物品１ａでは、特に、吸収コア２２が第１部位２５のエッジまで存在していることにより、突出部２５１がトップシート２１およびバックシート２３のみにより形成される場合に比べて厚く、かつ、折れ曲がりにくくなって掴みやすくなっているため、吸収性物品１ａをさらに容易に展開することができる。
【００４２】
また、吸収性物品１ａでは、長手方向の両側のエッジまで存在している吸収コア２２により、包装用袋内に収容されている状態で、あるいは、吸収性物品１ａが使い捨ておむつに取り付けられて着用される際等に、吸収性物品１ａの長手方向の端部が折れ曲がることが抑制される。特に、第１部位２５のエッジまで吸収コア２２が存在していることにより、包装用袋内において折れ曲がりやすい第１部位２５の突出部２５１の折れ曲がりをより確実に抑制することができる。
【００４３】
吸収性物品１ａを片手で掴んで容易に展開するとともに包装用袋内において第１部位２５の端部が折れ曲がることを抑制するという観点から、第１部位２５と第２部位２６との長手方向の長さの差が、１ｃｍ以上８ｃｍ以下（より好ましくは、１．５ｃｍ以上５ｃｍ以下）とされることが好ましい。
【００４４】
吸収性物品１ａでは、特に、長手方向の両側のエッジにおいて、バックシート２３がトップシート２１側に折り返されて吸収コア２２の長手方向の端部を包み込むように覆っているため、着用者の姿勢が座位や仰臥位等のように吸収性物品１ａに体重がかかるものであっても、吸収コア２２に吸収された尿等の液体が、吸収性物品１ａの長手方向の端部からしみ出すことを防止することができる。
【００４５】
また、２つ折りにされた状態における吸収性物品１ａでは、第１部位２５の吸収コア２２のトップシート２１側の主面が、第１部位２５におけるバックシート２３の折り返し部２３２、および、第２部位２６により覆われ、さらに、第２部位２６の吸収コア２２のトップシート２１側の主面が第１部位２５により覆われるため、着用時にトップシート２１を介して着用者の肌に接する吸収コア２２、および、トップシート２１の着用者と吸収コア２２との間に挟まれる部位が、使用前に汚損することを防止することができる。
【００４６】
吸収性物品１ａでは、第１の実施の形態と同様に、吸収性物品１をパンツタイプの使い捨ておむつに取り付ける際に、使い捨ておむつ内において尿等が流れやすい側に第１部位２５を配置することにより、吸収性物品１からの尿等の漏出をより確実に防止することができる。
【００４７】
なお、吸収コア２２は、バックシート２３の折り返しにより第１部位２５および第２部位２６の長手方向のエッジまで存在させるのではなく、例えば、第１の実施の形態において、トップシート２１およびバックシート２３のエッジと吸収コア２２のエッジとの間の距離を短くすることにより、第１部位２５および第２部位２６の長手方向のエッジ近傍まで吸収コア２２を存在させてもよい。具体的には、トップシート２１およびバックシート２３のエッジと吸収コア２２のエッジとの間の距離は、約５ｍｍとされる。この場合においても、包装用袋内に収容されている状態で、あるいは、吸収性物品１が使い捨ておむつに取り付けられて着用される際等に、吸収性物品１の長手方向の端部が折れ曲がることを抑制することができる。特に、第１部位２５のエッジ近傍まで吸収コア２２が存在していることにより、包装用袋内において折れ曲がりやすい第１部位２５の端部（すなわち、突出部２５１および突出部２５１近傍の部位）の折れ曲がりをより確実に抑制することができる。
【００４８】
以上、本発明の実施の形態について説明してきたが、本発明は上記実施の形態に限定されるものではなく、様々な変更が可能である。
【００４９】
例えば、第２の実施の形態に係る吸収性物品１ａでは、長手方向の端部の折れ曲がりを抑制するという観点からは、長手方向の少なくとも一方のエッジ（すなわち、第１部位２５または第２部位２６のいずれかの長手方向のエッジ）近傍まで吸収コア２２が存在していればよい。ただし、包装用袋内における折れ曲がりの防止という観点からは、第２部位２６に比べて折れ曲がりやすい突出部２５１を有する第１部位２５において、エッジ近傍まで吸収コア２２が存在していることがより好ましい。
【００５０】
第２の実施の形態に係る吸収性物品１ａでは、吸収コア２２の長手方向の端部からの液体のしみ出しを抑制するという観点からは、長手方向の少なくとも一方のエッジにおいて、バックシート２３がトップシート２１側に折り返されて固定されていればよい。ただし、吸収性物品１ａを使い捨ておむつに取り付ける際に、尿等が流れやすい側に第１部位２５を配置することが好ましいことを考慮すると、第１部位２５のエッジにおいてバックシート２３がトップシート２１側に折り返されて固定されることがより好ましい。
【００５１】
なお、吸収性物品１ａでは、長手方向の端部において、バックシート２３にトップシート２１が重ね合わされて接合された上で、バックシート２３がトップシート２１と共に吸収コア２２のトップシート２１側に折り返され、折り返された部位が吸収コア２２上においてトップシート２１に固定されてもよい。
【００５２】
上記実施の形態に係る吸収性物品は、着用者の腹側に当接する部位と背側に当接する部位とを腰回りで止着して着用するオープンタイプの使い捨ておむつ、布製の失禁パンツ、その他様々な外装物品に取り付けられる補助吸収具として利用されてよい。また、外装シートと接合される等して、使い捨ておむつとして利用されてもよい。
【図面の簡単な説明】
【００５３】
【図１】第１の実施の形態に係る吸収性物品の平面図である。
【図２】吸収性物品の断面図である。
【図３】吸収性物品の使用前の状態を示す側面図である。
【図４】吸収性物品の他の好ましい使用前の状態を示す側面図である。
【図５】第２の実施の形態に係る吸収性物品の使用前の状態を示す側面図である。
【符号の説明】
【００５４】
１，１ａ    吸収性物品
２１    トップシート
２２    吸収コア
２３    バックシート
２４，２４ａ    折り曲げ位置
２５    第１部位
２６    第２部位
２３２    折り返し部
【図１】
2006218056.tif 000003
【図２】
2006218056.tif 000004
【図３】
2006218056.tif 000005
【図４】
2006218056.tif 000006
【図５】
2006218056.tif 000007